(57)【要約】【課題】コンパクトに輸送及び保管することができ、取り扱いやすい合成樹脂発泡体製の床用嵩上げ材を、材料ロスを生じることなく容易に製造する。【解決手段】合成樹脂発泡平板５を、連続する凹凸状切れ目６で、同一形状の表裏の分割片５ａ，５ｂに二分し、両分割片５ａ，５ｂを、それぞれ、１枚の合成樹脂発泡平板５の形態に重ね合わせてコンパクトに輸送及び保管ができる床用嵩上げ材１とする。【選択図】図２
2010024706.tif 000002
【特許請求の範囲】
【請求項１】
片面が凸条と凹条が交互に連なった凹凸面、他面が平坦面となった合成樹脂発泡板で、凹凸面同志を向き合わせて２枚を重ね合わせ、対向する凸条と凹条を嵌め合わせて１枚の合成樹脂発泡平板とすることが可能であることを特徴とする床用嵩上げ材。
【請求項２】
凸条と凹条がそれぞれ断面正方形又は長方形をなすことを特徴とする請求項１に記載の床用嵩上げ材。
【請求項３】
合成樹脂発泡平板を、連続する凹凸状切れ目で、同一形状の表裏の分割片に二分し、両分割片をそれぞれ床用嵩上げ材とすることを特徴とする床用嵩上げ材の製造方法。
【請求項４】
連続する凹凸状切れ目が、正方形又は長方形の凹凸を連ねた矩形波状をなすことを特徴とする請求項３に記載の床用嵩上げ材の製造方法。
【発明の詳細な説明】
【技術分野】
【０００１】
本発明は、建物の床面のレベル合わせのための嵩上げや、地下室の床下に排水路を形成するための嵩上げに用いられる床用嵩上げ材及びその製造方法に関する。
【背景技術】
【０００２】
従来、床用嵩上げ材としては、合成樹脂発泡板の片面に、排水路となる溝加工を施したものが知られている（例えば、特許文献１参照）。また、角棒状の合成樹脂発泡体である嵩上げ用の脚材を連結テープで所定間隔に並列させておき、展開して、脚材を連結テープで規定された所定間隔で設置できるようにしたものも知られている（例えば、特許文献２参照）。
【０００３】
【特許文献１】特開平８−６８０６５号公報
【特許文献２】特開２００６−１２５１３２号公報
【発明の開示】
【発明が解決しようとする課題】
【０００４】
しかしながら、合成樹脂発泡板の片面に溝加工を施したものは、溝加工時に多量の廃棄片を生じることから、材料の無駄が多い問題がある。また、輸送や保管は片面に溝加工を施した合成樹脂発泡板を積み重ねて行うことになるが、嵩張って場所をとる問題もある。
【０００５】
脚材を連結テープで所定間隔に並列させたものは、合成樹脂発泡板を角柱状に切断した脚材を連結テープで連結すればよいので、材料ロスはほとんど生じないものの、連結テープでの連結に手間がかかる問題がある。また、脚材を束ねれば輸送や保管スペースを抑制することができるが、ばらけやすく、取り扱い性が悪い問題もある。
【０００６】
本発明は、上記従来の問題点に鑑みてなされたもので、材料ロスを生じることなく容易に製造することができ、しかもコンパクトに輸送及び保管することができ、取り扱いやすい合成樹脂発泡体製の床用嵩上げ材及びその製造方法を提供することを目的とする。
【課題を解決するための手段】
【０００７】
本発明は、片面が凸条と凹条が交互に連なった凹凸面、他面が平坦面となった合成樹脂発泡板で、凹凸面同志を向き合わせて２枚を重ね合わせ、対向する凸条と凹条を嵌め合わせて１枚の合成樹脂発泡平板とすることが可能であることを特徴とする床用嵩上げ材を提供するものである。本発明の床用嵩上げ材は、凸条と凹条がそれぞれ正方形又は長方形をなすことを好ましい態様として含むものである。
【０００８】
また、本発明は、合成樹脂発泡平板を、連続する凹凸状切れ目で、同一形状の表裏の分割片に二分し、両分割片をそれぞれ床用嵩上げ材とすることを特徴とする床用嵩上げ材の製造方法を提供するものでもある。本発明の床用嵩上げ材の製造方法は、連続する凹凸状切れ目が、正方形又は長方形の凹凸を連ねた矩形波状をなすことを好ましい態様として含むものである。
【発明の効果】
【０００９】
本発明に係る床用嵩上げ材は、凹凸面同志を向き合わせて２枚を重ね合わせ、対向する凸条と凹条を嵌め合わせて１枚の合成樹脂発泡平板とすることが可能となっている。そして、このような重ね合わせ状態で輸送及び保管を行うようにすれば、輸送及び保管時の省スペースを図ることができる。また、脚材を連結テープで所定間隔に並列させた従来の床用嵩上げ材のようにばらけることもないので、取り扱い性も良い。
【００１０】
本発明に係る製造方法は、合成樹脂発泡平板を連続する凹凸状切れ目で表裏の分割片に二分するだけであるので、材料ロスをほとんど生じることがない。また、この分割は、熱線スライスにより容易に行うことができ、一枚の合成樹脂発泡平板から同一形状の二枚の床用嵩上げ材を同時に得ることができるので、製造効率も良く、加工コストを抑制することができる。
【発明を実施するための最良の形態】
【００１１】
以下、図面に基づいて本発明を更に説明する。なお、以下に述べる図１〜図４において、同じ符号は同じ構成要素を示す。
【００１２】
まず、図１及び図２に基づいて本発明に係る床用嵩上げ材及びその製造方法の一例について説明する。
【００１３】
図１は本発明に係る床用嵩上げ材の一例を示すもので、（ａ）底面方向からの斜視図、（ｂ）は２枚の床用嵩上げ材を重ね合わせて１枚の合成樹脂発泡平板とした状態の斜視図、図２は本発明に係る床用嵩上げ材の製造方法の一例を示す説明図で、（ａ）は合成樹脂発泡板を連続する凹凸状切れ目で表裏の分割片に二分した状態の側面図、（ｂ）は表裏の分割片を分離した状態の側面図である。
【００１４】
図１（ａ）に示されるように、本発明に係る床用嵩上げ材１は、片面が凸条２と凹条３が交互に連なった凹凸面で、他面が平坦面となった合成樹脂発泡板で構成されている。
【００１５】
床用嵩上げ材１は、凹凸面を下向きにして設置されるもので、凹凸面における凸条２は、本床用嵩上げ材１上に形成される床４（図３、図４参照）の支持部となり、凹条３は、排水路や、配線又は管材スペースとして用いることができる。凸条２と凹条３の断面形状は、台形状でも良いが、安定した床４の支持状態が得られるよう、正方形又は長方形であることが好ましい。
【００１６】
床用嵩上げ材１を構成する合成樹脂発泡体としては、例えばポリスチレン系発泡体、ポリエチレン系発泡体、ポリプロピレン系発泡体、ポリウレタン系発泡体、フェーノール樹脂発泡体などを用いることができるが、吸水性が低く、機械的強度に優れることから、ポリスチレンの発泡体が好ましい。また、ビーズ発泡成形体でも押出発泡成形体でもよいが、耐圧性に優れることから、押出発泡成形体であることが好ましい。
【００１７】
床用嵩上げ材１は、作業者が乗った時の割れ防止を図ると共に、必要な嵩上げ量を得やすくするなどの観点から、凸条２と凹条３の幅が５０〜１５０ｍｍ、凸条２の高さ（平坦面の表面から凸条２の頂面までの間隔）が５０〜１５０ｍｍ、凹条３の深さが３０〜１２５ｍｍ、凹条３の底部の厚さ（平坦面の表面から凹条３の底面までの間隔）が２０〜５０ｍｍであることが好ましい。標準的には、凸条２と凹条３の幅が１００ｍｍ、凸条２の高さ１２５ｍｍ、凹条３の深さ１００ｍｍ、凹条３の底部の厚さ２５ｍｍである。また、構成材料としてポリスチレンの押出発泡体を用いた場合、割れ防止を図りやすくするために、密度が２０〜５０ｋｇ／ｍ3であることが好ましく、経済性及び軽量性をも加味すると、より好ましくは２５〜３５ｋｇ／ｍ3である。
【００１８】
本発明に係る床用嵩上げ材１は、凹凸面同志を向き合わせて２枚を重ね合わせることで、図１（ｂ）に示されるように、相対向する凸条２と凹条３が嵌り合って、表裏面が平坦面となった１枚の合成樹脂発泡平板５を形成するものとなっている。このため、凸条２と凹条３の連なり方向の一端と他端とでは凹凸が逆になっており、２枚の床用嵩上げ材１の凹凸面を向き合わせた時に、総ての凸条２と凹条３が互いに嵌め合わせることができる断面形状をなしている。図示される例では、一端の凸条２と他端の凹条３の断面形状は、それぞれ中間部の凸条２と凹条３の１／２の幅の断面形状となっている。この一端の凸条２と他端の凹条３の断面形状を、中間部の凸条２と凹条３の断面形状に揃えることもできるが、設置時に端部に突き出た状態となる端部の凹条３の底部を割れにくくするために、一端の凸条２と他端の凹条３の断面形状は、それぞれ中間部の凸条２と凹条３の幅の１／２〜１／３程度の幅とすることが好ましい。
【００１９】
上記床用嵩上げ材１は、図２（ａ）に示されるように、１枚の合成樹脂発泡平板５を、連続する凹凸状切れ目６で、同一形状の表裏の分割片５ａ，５ｂに二分することで容易に製造することができる。図示される凹凸状切れ目６は、安定した支持力が得やすい断面台形状の凸条２と凹条３（図１参照）を形成できるよう、正方形又は長方形の凹凸を連ねた矩形波状とすることが好ましい。また、一端と他端では凹凸が逆になって、合成樹脂発泡平板５を表裏に二等分する位置に形成されている。図２（ｂ）に示されるように、この凹凸状切れ目６を介して分離される表裏の分割片５ａ，５ｂは同一形状となり、この分割片５ａ，５ｂそれぞれ図１に示される床用嵩上げ材１を構成するものである。
【００２０】
合成樹脂発泡平板５の構成材料としては、前記床用嵩上げ材１の構成材料と同様の合成樹脂発泡体を用いる。
【００２１】
上記合成樹脂発泡平板５の凹凸状切れ目６による分割は、例えば通電により発熱するニクロム線を用いた熱線スライスにより容易に行うことができる。
【００２２】
次に、本発明に係る床用嵩上げ材の使用例を図３〜図５で説明する。
【００２３】
図３は本発明に係る床用嵩上げ材を用いた床構造の一例を示す断面図、図４は本発明に係る床用嵩上げ材を用いた床構造の他の例を示す断面図、図５は本発明に係る床用嵩上げ材の平面方向の好ましい配列例を示す断面図である。
【００２４】
図３及び図４に示されるように、本発明に係る床用嵩上げ材１は、建物の床基板７上に凹凸面を下にして設置される。床用嵩上げ材１は、図３に示されるように、１段で設置しても、図４に示されるように、複数段で設置しても良く、必要な嵩上げ高さに応じて選択される。複数段に積み重ねる場合、凸状２と凹条３の位置を上下に揃えて積み重ねることが好ましい。このようにすると、作業者が乗った時に床用嵩上げ材１が割れにくいと共に、床４の支持力も高めることができる。また、平面方向に相隣接する床用嵩上げ材１は、図５に示されるように、凸条２と凹条３の連なり方向における向きを揃え、端部の凹条３同士が向き合わないようにして配置することが好ましい。このようにすることで、作業者が乗った時に、端部の凹条３の底部を踏んでも損傷しにくくすることができる。
【００２５】
上記のようにして床用嵩上げ材１を設置し、好ましくは設置した床用嵩上げ材１間の継ぎ目を目地テープなどで覆った後、床用嵩上げ材１上に配筋を施してコンクリートを打設することで、嵩上げした位置に床４を構築することができる。
【図面の簡単な説明】
【００２６】
【図１】本発明に係る床用嵩上げ材の一例を示すもので、（ａ）底面方向からの斜視図、（ｂ）は２枚の床用嵩上げ材を重ね合わせて１枚の合成樹脂発泡平板とした状態の斜視図である。
【図２】本発明に係る床用嵩上げ材の製造方法の一例を示す説明図で、（ａ）は合成樹脂発泡板を連続する凹凸状切れ目で表裏の分割片に二分した状態の側面図、（ｂ）は表裏の分割片を分離した状態の側面図である。
【図３】本発明に係る床用嵩上げ材を用いた床構造の一例を示す断面図である。
【図４】本発明に係る床用嵩上げ材を用いた床構造の他の例を示す断面図である。
【図５】本発明に係る床用嵩上げ材の平面方向の好ましい配列例を示す断面図である。
【符号の説明】
【００２７】
１  床用嵩上げ材
２  凸条
３  凹条
４  床
５  合成樹脂発泡平板
６  凹凸状切れ目
７  床基板
【図１】
2010024706.tif 000003
【図２】
2010024706.tif 000004
【図３】
2010024706.tif 000005
【図４】
2010024706.tif 000006
【図５】
2010024706.tif 000007